(57)【要約】【課題】和服や毛皮製品等の高級かつ繊細な物品を収納するのに適した倉庫内に設置される収納庫を提供する。【解決手段】土台パネル１２と背面壁パネル１４と正面壁パネル１６と右側壁パネル１８と左側壁パネル２０と天井パネル２２とから構成される収納庫１０において、その内壁を桐を材料とする板材によって構成し、前記内壁には有機化学物質の発散を抑制する薬剤を塗布する。【選択図】図１
2005163278.tif 000002
【特許請求の範囲】
【請求項１】
倉庫内に設置される収納庫であって、
前記収納庫は木材で構成された土台と背面壁と正面壁と右側壁と左側壁と天井とより形成され、
前記収納庫の内壁は桐を材料とする板材によって形成され、
床板と土台枠の間には金属板が設置され、
正面壁には出入口としての扉が設けられ、
前記扉の収納空間に面する部位は桐を材料とする板材によって覆われる
ことを特徴とする倉庫内に設置される収納庫。
【請求項２】
前記請求項１記載の倉庫内に設置される収納庫において、
前記収納庫の高さは１８０ｃｍ以上であり、
前記収納庫の幅は１００ｃｍ以上であり、
前記収納庫の奥行きは１５０ｃｍ以上である
ことを特徴とする倉庫内に設置される収納庫。
【請求項３】
前記請求項１または２記載の倉庫内に設置される収納庫において、
前記収納庫の正面壁に通風口が設置される
ことを特徴とする倉庫内に設置される収納庫。
【請求項４】
前記請求項１〜３記載の倉庫内に設置される収納庫において、
前記収納庫の内壁に有機化学物質の発散を抑制する薬剤を塗布すること
を特徴とする倉庫内に設置される収納庫。
【発明の詳細な説明】
【技術分野】
【０００１】
本発明は倉庫に収納して使用する倉庫内収納庫に関する。
【背景技術】
【０００２】
従来、屋外に設置されるプレハブ型倉庫には、通気性を考慮した建材が使用されており、倉庫内の収納空間を物品の保管に適した環境とすることが可能である。前記のような倉庫は、簡易に移設することができ、また、倉庫用地の広さや収納物の大きさに合わせて適切な規模の倉庫を選択することで、柔軟に需要に対応することが可能である。
【０００３】
一方、桐を材料とした箪笥のような収納物がある（例えば、特許文献１参照）。桐製箪笥は防湿性能や防虫性能において優れ、古来より用いられてきた。
【０００４】
【特許文献１】特開平１１−１１３６５４号公報
【発明の開示】
【発明が解決しようとする課題】
【０００５】
しかしながら、前記のような倉庫では、特に防湿性能や防虫性能において、毛皮や和服等の高級且つ繊細な物品の収納に十分に適する環境を備えることは難しかった。
【０００６】
また、前記倉庫は内装的要素からしても、毛皮、和服、宝飾品等の高級な物品の保管庫として適する高級感を有することは無かった。
【０００７】
さらに、防湿性能や防塵性能の面から考えると、前記倉庫には十分な通風口を備えることが困難なため、通気性が低下せざるを得ず、建材から発散されるホルムアルデヒドやＶＯＣ（揮発性有機化合物）のような有害化学物質の空気中濃度が高まる結果、利用者が何らかの健康障害、いわゆる「シックハウス症候群」を引き起こす一因となっていた。
【０００８】
一方、前記桐製箪笥は、防湿性能や防虫性能には優れるが、区分されたスペースであるが故に、多種類にわたる収納品に柔軟に対応することが困難である。しかも、折り畳んで収納することが困難な物品、例えば、毛皮製コートのような物品の収納には適さなかった。
【課題を解決するための手段】
【０００９】
前記課題を解決するため、本発明にかかる収納庫は、倉庫内に設置される収納庫であって、前記収納庫は木材で構成された土台と背面壁と正面壁と右側壁と左側壁と天井とより形成され、前記収納庫の内壁は桐を材料とする板材によって形成され、床板と土台枠の間には金属板が設置され、正面壁には出入口としての扉が設けられ、前記扉の収納空間に面する部位は桐を材料とする板材によって覆われることを特徴とする。好ましくは、前記収納庫の高さは１８０ｃｍ以上であり、幅は１００ｃｍ以上であり、奥行きは１５０ｃｍ以上である。
【００１０】
また、本発明にかかる収納庫は、前記収納庫の正面壁に通風口が設置されることを特徴とする。
【００１１】
さらに、本発明にかかる収納庫は、前記収納庫の内壁に有機化学物質の発散を抑制する薬剤を塗布することを特徴とする。
【発明の効果】
【００１２】
本発明によれば、吸湿性能、防虫性能に優れる桐材を収納庫の内壁に使用するため、毛皮や和服等の高級且つ繊細な物品の収納に十分に適する環境が得られる。
【００１３】
しかも、前記収納庫の出入口の扉および前記収納庫の内壁にも桐材が用いられているために、毛皮、和服、宝飾品等の高級な物品、特に和服の保管庫として適する高級感が得られる。
【００１４】
また、前記収納庫の正面壁に通風口を供え、さらに前記収納庫の内壁に有害化学物質を抑制する薬剤を塗布することにより、建材から発散されるホルムアルデヒドやＶＯＣ等の空気中濃度を低減させることが可能となり、利用者の健康障害、いわゆるシックハウス症候群を引き起こす要因を解消できるという効果が達成される。前記収納庫は通風口を供えるが、前記収納庫自体が密閉度の高い倉庫の内部に設置されるため、防湿性能や防塵性能が阻害されることはない。
【００１５】
さらにまた、収納庫の高さが１８０ｃｍ以上、幅が１００ｃｍ以上、奥行きが１５０ｃｍ以上とすることで、収納の際に空間を必要とする物品、例えば毛皮製コートのような衣類について、折り畳むが必要なく、吊り下げる等の方法で収納することが可能となり、折り目に基因する経年劣化や、折りじわの発生も回避できる。
【発明を実施するための最良の形態】
【００１６】
本発明にかかる倉庫内に設置される収納庫の構成について好適な実施の形態を例示し、以下、図を用いて詳細に説明する。
【００１７】
図１は、本発明にかかる倉庫内収納庫の一部分解斜視図であり、参照符号１０は収納庫全体を示す。
【００１８】
収納庫１０は、土台パネル１２と背面壁パネル１４と正面壁パネル１６と右側壁パネル１８と左側壁パネル２０と天井パネル２２とから構成され、正面壁パネル１６には扉２４と武者窓２６が設けられる。
【００１９】
収納庫１０は、正面方向から見た場合、好ましくは高さが１８０ｃｍ以上であり、幅が１００ｃｍ以上であり、奥行きが１５０ｃｍ以上になるように構成される。
【００２０】
図２は、右側壁パネル１８方向から見た収納庫１０の縦断面図である。収納庫１０は土台パネル１２と背面壁パネル１４と正面壁パネル１６と天井パネル２２とに囲まれた収納空間２８を有する。
【００２１】
なお、以下の説明において、構成する木材の材質について特別な説明が無い部材については、堅い材質の木材を材料とする。
【００２２】
土台パネル１２は、木製の角材からなる土台枠３０を有し、前記土台枠３０の上に金属板３２が固着され、前記金属板３２上には桐製の板材からなる床板３４が設けられる。固着に際しては、接着でも良く、金属あるいは木製の釘等を使用する方法でも構わない。また、土台枠３０および後述する各枠部材については、長方形の外周の内側に格子状に木製の角材を組み合わせて配設すると、強度が向上して好ましい。
【００２３】
背面壁パネル１４は、木製の角材からなる背面壁枠３６を有し、前記背面壁枠３６の、収納空間２８に接する面には、桐製の板材からなる背面壁板３８が固着される。背面壁パネル１４は、土台パネル１２の終端位置から垂直に立設される。この場合、背面壁パネル１４の下端部と土台パネル１２との接合部分には、回り縁４１ａが設置される。
【００２４】
正面壁パネル１６は、木製の角材からなる正面壁枠４２を有し、前記正面壁枠４２に開閉自在に設けられる扉２４と武者窓２６が構成される部位を除いた部分の、収納空間２８に面する部位には、桐製の板材からなる正面壁板４４が配設され、正面壁枠４２の他方の面にも桐製の板材からなる正面外壁板４６が配設される。正面壁パネル１６は、土台パネル１２の他の終端部位に垂直に立設される。この場合、正面壁パネル１６の下端部と土台パネル１２との接合部分には、回り縁４１ｂが設置されることも前記と同様である。
【００２５】
図３は、正面壁パネル１６方向から見た収納庫１０の縦断面図である。
【００２６】
右側壁パネル１８は、木製の角材からなる右側壁枠４８を有し、前記右側壁枠４８の、収納空間２８に接する面には、桐製の板材からなる右側壁板５０が配設される。右側壁パネル１８は、土台パネル１２の残余の一方の終端部位に垂直に立設される。この場合も前記と同様に、右側壁パネル１８の下端部と土台パネル１２との接続部分には、回り縁４１ｃが設けられる。
【００２７】
左側壁パネル２０は、右側壁パネル１８と左右対称であり、実質的に同一の構成であるためにその詳細な説明を省略する。左側壁パネル２０は、土台パネル１２の残余の他方の終端部位に垂直に立設される。この場合も、左側壁パネル２０の下端部と土台パネル１２との接合部分には、回り縁４１ｄが設けられる。
【００２８】
天井パネル２２は、木製の角材からなる天井枠５４を有し、天井枠５４の、収納空間２８に接する面には、桐製の板材からなる天井板５６が固着される。天井パネル２２は、背面壁パネル１４、正面壁パネル１６、右側壁パネル１８、左側壁パネル２０の上端部に固着され、その接合部分にはそれぞれ回り縁５９ａ、５９ｂ、５９ｃ、５９ｄが設けられる。
【００２９】
床板３４、背面壁板３８、正面壁板４４、右側壁板５０、左側壁板（符号無し）、天井板５６の、それぞれ収納空間２８に接する面には、建材から発生する有害化学物質を低減させる薬剤、例えばセルフィール（登録商標）を塗布しておくと好適である。塗布方法はスプレー使用による方法でも良く、刷毛等の道具を使用する方法でも構わない。
【００３０】
図４は、収納庫１０の正面図である。正面壁パネル１６には収納庫１０への出入口となる扉２４が設置されている。扉２４は木材を材料としており、扉２４の表面と裏面は共に桐製の板材が固着され、高級感を呈するように構成すると好適である。
【００３１】
また、正面壁パネル１６には武者窓２６が１箇所または複数箇所設置される。
【００３２】
前記のように構成される収納庫１０は、適宜、倉庫内で組み立てて倉庫内収納庫として活用される。
【図面の簡単な説明】
【００３３】
【図１】本発明にかかる収納庫の一部分解斜視図である。
【図２】本発明にかかる収納庫の右側壁方向から見た縦断面図である。
【図３】本発明にかかる収納庫の正面方向から見た縦断面図である。
【図４】本発明にかかる収納庫の正面図である。
【符号の説明】
【００３４】
１０…収納庫                      １２…土台パネル
１４…背面壁パネル                １６…正面壁パネル
１８…右側壁パネル                ２０…左側壁パネル
２２…天井パネル                  ２４…扉
２６…武者窓                      ２８…収納空間
３０…土台枠                      ３２…金属板
３４…床板                        ３６…背面壁枠
３８…背面壁板                    ４１ａ〜４１ｄ、５９ａ〜５９ｄ…回り縁
４２…正面壁枠                    ４４…正面壁板
４６…正面外壁板                  ４８…右側壁枠
５０…右側壁板                    ５４…天井枠
５６…天井板
【図１】
2005163278.tif 000003
【図２】
2005163278.tif 000004
【図３】
2005163278.tif 000005
【図４】
2005163278.tif 000006